(57)【要約】  コードタイプを選択するための方法および装置が提供される。コードのタイプは、チャネルの情報ビットを符号化するための連結コーディング方式に対する内部コードとして使用するコードタイプのセットから選択され、選択は、チャネルに対する誤警報検出方針を含む1つまたは複数のチャネルコーディングパラメータに基づく。コードワードは、内部コードとして選択されたコードのタイプおよび外部コードを使用して情報ビットを符号化することによって生成される。生成されたコードワードは送信される。
2020526102.tif 000002
【特許請求の範囲】
【請求項１】
ワイヤレス通信の方法であって、
チャネルの情報ビットを符号化するための連結コーディング方式に対する内部コードとして使用するコードのタイプをコードタイプのセットから選択するステップであって、前記選択が、前記チャネルに対する誤警報検出方針に基づく、ステップと、
前記内部コードとして選択された前記コードのタイプおよび外部コードを使用して前記情報ビットを符号化することによってコードワードを生成するステップと、
前記コードワードを送信するステップとを含む、方法。
【請求項２】
前記外部コードが巡回冗長検査(CRC)を含み、前記CRCに対するビットの数が前記チャネルに対する前記誤警報検出方針に基づく、請求項1に記載の方法。
【請求項３】
前記誤警報検出方針が、物理チャネルのタイプによって決まる、請求項1に記載の方法。
【請求項４】
前記誤警報検出方針が、前記チャネルの再送信の数によって決まる、請求項1に記載の方法。
【請求項５】
前記誤警報検出方針に関する情報が、無線リソース制御(RRC)シグナリングを介してシグナリングされる、請求項1に記載の方法。
【請求項６】
前記コードタイプのセットが、少なくともReed-Muller符号タイプおよびpolar符号タイプを含む、請求項1に記載の方法。
【請求項７】
選択するステップが、符号化されることになる前記チャネルの情報ビットの数、またはリスト復号サイズのうちの少なくとも1つにさらに基づいて選択するステップを含む、請求項1に記載の方法。
【請求項８】
前記情報ビットの数、前記誤警報検出方針、および前記リスト復号サイズの関数としてメトリックを生成するステップと、
前記メトリックに基づいて前記コードのタイプを選択するステップとをさらに含む、請求項7に記載の方法。
【請求項９】
前記選択するステップが、
前記メトリックがしきい値に等しいかまたはそれを超える場合にpolar符号タイプを選択するステップ、または
前記メトリックが前記しきい値を下回る場合にReed-Muller符号タイプを選択するステップを含む、請求項8に記載の方法。
【請求項１０】
前記外部コードのコードパリティビット長に少なくとも部分的に基づいて、前記連結コーディング方式において前記内部コードに対して使用する補助パリティビットの数を決定するステップをさらに含む、請求項1に記載の方法。
【請求項１１】
ワイヤレス通信のための装置であって、
チャネルの情報ビットを符号化するための連結コーディング方式に対する内部コードとして使用するコードのタイプをコードタイプのセットから選択するための手段であって、前記選択が、前記チャネルに対する誤警報検出方針に基づく、手段と、
前記内部コードとして選択された前記コードのタイプおよび外部コードを使用して前記情報ビットを符号化することによってコードワードを生成するための手段と、
前記コードワードを送信するための手段とを含む、装置。
【請求項１２】
前記外部コードが巡回冗長検査(CRC)を含み、前記CRCに対するビットの数が前記チャネルに対する前記誤警報検出方針に基づく、請求項11に記載の装置。
【請求項１３】
前記誤警報検出方針が、物理チャネルのタイプによって決まる、請求項11に記載の装置。
【請求項１４】
前記誤警報検出方針が、前記チャネルの再送信の数によって決まる、請求項11に記載の装置。
【請求項１５】
前記誤警報検出方針に関する情報が、無線リソース制御(RRC)シグナリングを介してシグナリングされる、請求項11に記載の装置。
【請求項１６】
前記コードタイプのセットが、少なくともReed-Muller符号タイプおよびpolar符号タイプを含む、請求項11に記載の装置。
【請求項１７】
選択するための前記手段が、符号化されることになる前記チャネルの情報ビットの数、またはリスト復号サイズのうちの少なくとも1つにさらに基づいて選択する、請求項11に記載の装置。
【請求項１８】
前記情報ビットの数、前記誤警報検出方針、および前記リスト復号サイズの関数としてメトリックを生成するための手段と、
前記メトリックに基づいて前記コードのタイプを選択するための手段とをさらに含む、請求項17に記載の装置。
【請求項１９】
選択するための前記手段が、前記コードのタイプを、
前記メトリックがしきい値に等しいかまたはそれを超える場合にpolar符号タイプを選択すること、または
前記メトリックが前記しきい値を下回る場合にReed-Muller符号タイプを選択することを行うことによって選択する、請求項18に記載の装置。
【請求項２０】
ワイヤレス通信の装置であって、
チャネルの情報ビットを符号化するための連結コーディング方式に対する内部コードとして使用するコードのタイプをコードタイプのセットから選択することであって、前記選択が、前記チャネルに対する誤警報検出方針に基づく、選択することと、
前記内部コードとして選択された前記コードのタイプおよび外部コードを使用して前記情報ビットを符号化することによってコードワードを生成することと、
前記コードワードを送信することとを行うように構成された少なくとも1つのプロセッサと、
前記少なくとも1つのプロセッサに結合されたメモリとを備える、装置。
【請求項２１】
前記外部コードが巡回冗長検査(CRC)を含み、前記CRCに対するビットの数が前記チャネルに対する前記誤警報検出方針に基づく、請求項20に記載の装置。
【請求項２２】
前記誤警報検出方針が、物理チャネルのタイプによって決まる、請求項20に記載の装置。
【請求項２３】
前記誤警報検出方針が、前記チャネルの再送信の数によって決まる、請求項20に記載の装置。
【請求項２４】
前記誤警報検出方針に関する情報が、無線リソース制御(RRC)シグナリングを介してシグナリングされる、請求項20に記載の装置。
【請求項２５】
前記コードタイプのセットが、少なくともReed-Muller符号タイプおよびpolar符号タイプを含む、請求項20に記載の装置。
【請求項２６】
前記少なくとも1つのプロセッサが、符号化されることになる前記チャネルの情報ビットの数、またはリスト復号サイズのうちの少なくとも1つにさらに基づいて前記コードのタイプを選択するように構成される、請求項20に記載の装置。
【請求項２７】
前記少なくとも1つのプロセッサが、
前記情報ビットの数、前記誤警報検出方針、および前記リスト復号サイズの関数としてメトリックを生成することと、
前記メトリックに基づいて前記コードのタイプを選択することとを行うようにさらに構成される、請求項26に記載の装置。
【請求項２８】
前記少なくとも1つのプロセッサが、前記コードのタイプを、
前記メトリックがしきい値に等しいかまたはそれを超える場合にpolar符号タイプを選択すること、または
前記メトリックが前記しきい値を下回る場合にReed-Muller符号タイプを選択することを行うことによって選択するように構成される、請求項27に記載の装置。
【請求項２９】
命令を記憶するための、ワイヤレス通信のためのコンピュータ可読記憶媒体であって、前記命令が、少なくとも1つのプロセッサによって実行されるとき、
チャネルの情報ビットを符号化するための連結コーディング方式に対する内部コードとして使用するコードのタイプをコードタイプのセットから選択するステップであって、前記選択が、前記チャネルに対する誤警報検出方針に基づく、ステップと、
前記内部コードとして選択された前記コードのタイプおよび外部コードを使用して前記情報ビットを符号化することによってコードワードを生成するステップと、
前記コードワードを送信するステップとを含む方法を実行する、コンピュータ可読記憶媒体。
【請求項３０】
前記外部コードが巡回冗長検査(CRC)を含み、前記CRCに対するビットの数が前記チャネルに対する前記誤警報検出方針に基づく、請求項29に記載のコンピュータ可読記憶媒体。
【発明の詳細な説明】
【技術分野】
【０００１】
優先権の主張
本特許出願は、本出願の譲受人に譲渡され、参照により本明細書に明確に組み込まれている、2017年6月30日に出願した米国特許出願第PCT/CN2017/091006号の利益を主張する。
【０００２】
本開示は、一般に、ワイヤレス通信システムに関し、より詳細には、情報ビットを符号化するためにコードタイプ間で選択するための方法および装置に関する。
【背景技術】
【０００３】
ワイヤレス通信システムは、電話、ビデオ、データ、メッセージング、およびブロードキャストなどの、様々な電気通信サービスを提供するために広く展開されている。一般のワイヤレス通信システムは、利用可能なシステムリソース(たとえば、帯域幅、送信電力)を共有することによって複数のユーザとの通信をサポートすることが可能な多元接続技術を採用し得る。そのような多元接続技術の例は、ロングタームエボリューション(LTE)システム、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および時分割同期符号分割多元接続(TD-SCDMA)システムを含む。
【０００４】
いくつかの例では、ワイヤレス多元接続通信システムは、ユーザ機器(UE)としても知られている複数の通信デバイスのための通信を各々が同時にサポートする、いくつかの基地局を含み得る。LTEまたはLTE-Aネットワークでは、1つまたは複数の基地局のセットがeノードB(eNB)を定義してよい。他の例では(たとえば、次世代または第5世代(5G)ネットワークでは)、ワイヤレス多元接続通信システムは、いくつかの集約ユニット(CU)(たとえば、中央ノード(CN)、アクセスノードコントローラ(ANC)など)と通信するいくつかの分散ユニット(DU)(たとえば、エッジユニット(EU)、エッジノード(EN)、無線ヘッド(RH)、スマート無線ヘッド(SRH)、送信受信ポイント(TRP)など)を含んでよく、集約ユニットと通信する1つまたは複数の分散ユニットのセットがアクセスノード(たとえば、ニューラジオ基地局(NR BS:new radio base station)、ニューラジオノードB(NR NB:new radio node-B)、ネットワークノード、5G NB、eNBなど)を定義してよい。基地局またはDUは、(たとえば、基地局から、またはUEへの送信のための)ダウンリンクチャネルおよび(たとえば、UEから基地局または分散ユニットへの送信のための)アップリンクチャネル上でUEのセットと通信してよい。
【０００５】
これらの多元接続技術は、異なるワイヤレスデバイスが都市、国家、地域、さらには地球規模で通信することを可能にする共通プロトコルを提供するために、様々な電気通信規格において採用されている。新生の電気通信規格の一例は、ニューラジオ(NR)、たとえば、5G無線アクセスである。NRは、第3世代パートナーシッププロジェクト(3GPP)によって公表されたLTEモバイル規格に対する拡張のセットである。それは、スペクトル効率を改善し、コストを削減し、サービスを改善し、新しいスペクトルを利用し、またダウンリンク(DL)およびアップリンク(UL)上でOFDMAをサイクリックプレフィックス(CP)とともに使用する他のオープン規格とよりうまく統合することによって、モバイルブロードバンドインターネットアクセスをよりうまくサポートし、ならびにビームフォーミング、多入力多出力(MIMO)アンテナ技術、およびキャリアアグリゲーションをサポートするように設計されている。
【発明の概要】
【発明が解決しようとする課題】
【０００６】
しかしながら、モバイルブロードバンドアクセスに対する需要が増大し続けるにつれて、NR技術におけるさらなる改善が望まれる。好ましくは、これらの改善は、他の多元接続技術、およびこれらの技術を用いる電気通信規格に適用可能であるべきである。
【課題を解決するための手段】
【０００７】
本開示のシステム、方法、およびデバイスはそれぞれ、いくつかの態様を有し、それらのうちの単一の態様だけが、その望ましい属性を担うわけではない。以下の特許請求の範囲によって表される本開示の範囲を限定することなく、いくつかの特徴についてここで簡潔に説明する。この説明を考慮した後、また特に「発明を実施するための形態」と題するセクションを読んだ後、本開示の特徴が、ワイヤレスネットワークにおけるアクセスポイントと局との間の改善された通信を含む利点をどのようにもたらすかが理解されよう。
【０００８】
本開示のいくつかの態様は、ワイヤレス通信のための方法を提供する。方法は、一般に、チャネルの情報ビットを符号化するための連結コーディング方式に対する内部コードとして使用するコードのタイプをコードタイプのセットから選択するステップであって、選択はチャネルに対する誤警報検出方針に基づく、ステップと、内部コードとして選択されたコードのタイプおよび外部コードを使用して情報ビットを符号化することによってコードワードを生成するステップと、コードワードを送信するステップとを含む。
【０００９】
本開示のいくつかの態様は、ワイヤレス通信のための装置を提供する。装置は、一般に、チャネルの情報ビットを符号化するための連結コーディング方式に対する内部コードとして使用するコードのタイプをコードタイプのセットから選択するための手段であって、選択はチャネルに対する誤警報検出方針に基づく、手段と、内部コードとして選択されたコードのタイプおよび外部コードを使用して情報ビットを符号化することによってコードワードを生成するための手段と、コードワードを送信するための手段とを含む。
【００１０】
本開示のいくつかの態様は、ワイヤレス通信のための装置を提供する。装置は、一般に、少なくとも1つのプロセッサと、少なくとも1つのプロセッサに結合されたメモリとを含む。少なくとも1つのプロセッサは、一般に、チャネルの情報ビットを符号化するための連結コーディング方式に対する内部コードとして使用するコードのタイプをコードタイプのセットから選択することであって、選択はチャネルに対する誤警報検出方針に基づく、選択することと、内部コードとして選択されたコードのタイプおよび外部コードを使用して情報ビットを符号化することによってコードワードを生成することと、コードワードを送信することとを行うように構成される。
【００１１】
本開示のいくつかの態様は、ワイヤレス通信のためのコンピュータ可読媒体を提供する。コンピュータ可読媒体は命令を記憶し、命令は、少なくとも1つのプロセッサによって実行されるとき、チャネルの情報ビットを符号化するための連結コーディング方式に対する内部コードとして使用するコードのタイプをコードタイプのセットから選択するステップであって、選択はチャネルに対する誤警報検出方針に基づく、ステップと、内部コードとして選択されたコードのタイプおよび外部コードを使用して情報ビットを符号化することによってコードワードを生成するステップと、コードワードを送信するステップとを含む方法を実行する。
【００１２】
態様は、一般に、添付の図面を参照しながら本明細書で十分に説明され、添付の図面によって示される、方法、装置、システム、コンピュータ可読媒体、および処理システムを含む。
【００１３】
上記の目的および関係する目的を達成するために、1つまたは複数の態様は、以下で十分に説明され、特に特許請求の範囲で指摘される特徴を含む。以下の説明および添付の図面は、1つまたは複数の態様のいくつかの例示的な特徴を詳細に記載する。しかしながら、これらの特徴は、様々な態様の原理が利用され得る様々な方法のほんのいくつかを示すものであり、この説明は、すべてのそのような態様およびそれらの均等物を含むものである。
【００１４】
本開示の上記の特徴が詳細に理解され得るように、上記で簡単に要約したより具体的な説明が、態様を参照することによって行われることがあり、態様のうちのいくつかは添付の図面に示される。しかしながら、本説明は他の等しく効果的な態様に通じ得るので、添付の図面が、本開示のいくつかの典型的な態様のみを示し、したがって、本開示の範囲を限定するものと見なされるべきではないことに留意されたい。
【図面の簡単な説明】
【００１５】
【図１】本開示のいくつかの態様による、例示的な電気通信システムを概念的に示すブロック図である。
【図２】本開示のいくつかの態様による、分散型RANの例示的な論理アーキテクチャを示すブロック図である。
【図３】本開示のいくつかの態様による、分散型RANの例示的な物理アーキテクチャを示す図である。
【図４】本開示のいくつかの態様による、例示的なBSおよびユーザ機器(UE)の設計を概念的に示すブロック図である。
【図５】本開示のいくつかの態様による、通信プロトコルスタックを実装するための例を示す図である。
【図６】本開示のいくつかの態様による、ダウンリンク中心(DL中心)のサブフレームの一例を示す図である。
【図７】本開示のいくつかの態様による、アップリンク中心(UL中心)のサブフレームの一例を示す図である。
【図８】本開示のいくつかの態様による、連結コードを使用する符号化および復号を示す図である。
【図９】本開示のいくつかの態様による、情報ビットを符号化するためのコードタイプを選択するためにワイヤレスデバイス(たとえば、UEまたはgNB)によって実行され得る例示的な動作900を示す図である。
【図１０】本開示のいくつかの態様による、ワイヤレスデバイス(たとえば、gNBまたはUE)によって情報ビットを符号化するための連結コードを決定するための決定木1000を示す図である。
【図１１】本開示のいくつかの態様による、図9に示す動作など、本明細書で開示する技法に対する動作を実行するように構成された様々な構成要素を含み得る通信デバイスを示す図である。
【発明を実施するための形態】
【００１６】
理解を容易にするために、可能な場合、図に共通する同一の要素を示すために、同一の参照番号が使用されている。特定の具陳なしに、一態様において開示する要素が他の態様において有利に利用され得ることが企図される。
【００１７】
コーディング理論では、連結コードは、内部コードと外部コードを組み合わせることによって導出される誤り訂正コードの類を形成する。内部コードおよび外部コードは、一般に、より強い結合されたコードを形成するために連結して使用される。
【００１８】
いくつかの態様では、異なるチャネルコーディング方式は、異なる情報ビット長(K)領域内で異なる性能を有する。一般に、Kが極めて小さい(たとえば、<12ビット)場合、Reed-Muller(RM)符号がPolar符号より良好に動作し得る。一方、Kが大きい場合、Polar符号は、同等の復号複雑性要件の下でRM符号を凌駕し得る。
【００１９】
したがって、いくつかの態様では、少なくとも復号される情報ビットの数に基づいてコーディング方式(たとえば、RM符号またはPolar符号)を選択することが有益であり得る。さらに、情報ビット長(K)に加えて、RM符号とPolar符号との間の選択は、特定の他のパラメータも同様に考慮に入れる必要がある場合があり、それらについて、以下でより詳細に説明する。
【００２０】
本開示のいくつかの態様は、1つまたは複数のチャネルコーディングパラメータに基づいて情報ビットを符号化/復号するためにRM符号とPolar符号との間で選択するための技法を説明する。
【００２１】
NRは、拡張モバイルブロードバンド(eMBB:Enhanced mobile broadband)ターゲットの広い帯域幅(たとえば、80MHzを越える)、ミリ波(mmW:millimeter wave)ターゲットの高いキャリア周波数(たとえば、60GHz)、マッシブMTC(mMTC:massive MTC)ターゲットの後方互換性のないMTC技法、および/またはミッションクリティカルターゲットの超高信頼低レイテンシ通信(URLLC:ultra reliable low latency communication)などの、様々なワイヤレス通信サービスをサポートし得る。これらのサービスは、レイテンシ要件および信頼性要件を含み得る。これらのサービスはまた、それぞれのサービス品質(QoS)要件を満たすための異なる送信時間間隔(TTI)を有し得る。加えて、これらのサービスは、同じサブフレームにおいて共存し得る。
【００２２】
以下の説明は例を提供するものであり、特許請求の範囲に記載される範囲、適用可能性、または例を限定するものではない。本開示の範囲から逸脱することなく、説明する要素の機能および構成に変更が加えられてよい。様々な例は、様々な手順または構成要素を適宜に省略してよく、置換してよく、または追加してよい。たとえば、説明する方法は、説明する順序とは異なる順序で実行されてよく、様々なステップが追加されてよく、省略されてよく、または組み合わせられてよい。また、いくつかの例に関して説明する特徴が、いくつかの他の例では組み合わせられてよい。たとえば、本明細書に記載される任意の数の態様を使用して、装置が実装されてよく、または方法が実践されてよい。加えて、本開示の範囲は、本明細書に記載された本開示の様々な態様に加えて、またはそれらの態様以外に、他の構造、機能、または構造および機能を使用して実践されるそのような装置または方法を包含するものとする。本明細書で開示する本開示のいずれの態様も、請求項の1つまたは複数の要素によって具現化され得ることを理解されたい。「例示的」という語は、本明細書では「例、事例、または例示として機能すること」を意味するために使用される。本明細書で「例示的」であるものとして説明されるいずれの態様も、必ずしも他の態様よりも好ましいまたは有利であると解釈されるべきではない。
【００２３】
本明細書で説明する技法は、LTE、CDMA、TDMA、FDMA、OFDMA、SC-FDMA、および他のネットワークなどの、様々なワイヤレス通信ネットワークに使用され得る。「ネットワーク」および「システム」という用語は、しばしば、互換的に使用される。CDMAネットワークは、ユニバーサル地上無線アクセス(UTRA)、cdma2000などの無線技術を実装し得る。UTRAは、広帯域CDMA(WCDMA(登録商標))、およびCDMAの他の変形を含む。cdma2000は、IS-2000規格、IS-95規格、およびIS-856規格を対象とする。TDMAネットワークは、モバイル通信用グローバルシステム(GSM(登録商標))などの無線技術を実装し得る。OFDMAネットワークは、NR(たとえば、5G RA)、発展型UTRA(E-UTRA)、ウルトラモバイルブロードバンド(UMB)、IEEE 802.11(Wi-Fi)、IEEE 802.16(WiMAX)、IEEE 802.20、Flash-OFDMAなどの無線技術を実装し得る。UTRAおよびE-UTRAは、ユニバーサルモバイルテレコミュニケーションシステム(UMTS)の一部である。NRは、5G技術フォーラム(5GTF)とともに開発中の新しく出現したワイヤレス通信技術である。3GPPロングタームエボリューション(LTE)およびLTEアドバンスト(LTE-A)は、E-UTRAを使用するUMTSのリリースである。UTRA、E-UTRA、UMTS、LTE、LTE-AおよびGSM(登録商標)は、「第3世代パートナーシッププロジェクト」(3GPP)と称する団体による文書に記載されている。cdma2000およびUMBは、「第3世代パートナーシッププロジェクト2」(3GPP2)と称する団体の文書に記載されている。本明細書で説明する技法は、上述のワイヤレスネットワークおよび無線技術、ならびに他のワイヤレスネットワークおよび無線技術に使用され得る。明確にするために、本明細書では一般に3Gおよび/または4Gワイヤレス技術に関連する用語を使用して態様が説明されることがあるが、本開示の態様は、NR技術を含めて、5G以降のものなどの他の世代ベースの通信システムにおいて適用され得る。
【００２４】
例示的なワイヤレス通信システム
図1は、本開示の態様が実行され得る、ニューラジオ(NR)または5Gネットワークなどの、例示的なワイヤレスネットワーク100を示す。
【００２５】
図1に示すように、ワイヤレスネットワーク100は、いくつかのBS110と他のネットワークエンティティとを含み得る。BSは、UEと通信する局であり得る。各BS110は、特定の地理的エリアに通信カバレージを提供し得る。3GPPでは、「セル」という用語は、この用語が使用される状況に応じて、このカバレージエリアにサービスしているノードBおよび/またはノードBサブシステムのカバレージエリアを指すことがある。NRシステムでは、「セル」およびeNB、ノードB、5G NB、AP、NR BS、またはTRPなどの用語は交換可能であり得る。いくつかの例では、セルは、必ずしも静止しているとは限らないことがあり、セルの地理的エリアは、モバイル基地局のロケーションに従って移動し得る。いくつかの例では、基地局は、任意の適切なトランスポートネットワークを使用して、直接物理接続、仮想ネットワークなど、様々なタイプのバックホールインターフェースを通じて、ワイヤレスネットワーク100内で互いに、および/または1つもしくは複数の他の基地局もしくはネットワークノード(図示せず)に相互接続され得る。
【００２６】
一般に、任意の数のワイヤレスネットワークが、所与の地理的エリアにおいて展開されてよい。各ワイヤレスネットワークは、特定の無線アクセス技術(RAT)をサポートしてよく、1つまたは複数の周波数で動作してよい。RATは、無線技術、エアインターフェースなどと呼ばれることもある。周波数は、キャリア、周波数チャネルなどと呼ばれることもある。各周波数は、異なるRATのワイヤレスネットワーク間の干渉を回避するために、所与の地理的エリアにおいて単一のRATをサポートしてよい。場合によっては、NR RATネットワークまたは5G RATネットワークが展開されてよい。
【００２７】
BSは、マクロセル、ピコセル、フェムトセル、および/または他のタイプのセルのための通信カバレージを提供し得る。マクロセルは、比較的大きい地理的エリア(たとえば、半径数キロメートル)をカバーすることができ、サービスに加入しているUEによる無制限アクセスを可能にしてよい。ピコセルは、比較的小さい地理的エリアをカバーすることができ、サービスに加入しているUEによる無制限アクセスを可能にしてよい。フェムトセルは、比較的小さい地理的エリア(たとえば、自宅)をカバーすることができ、フェムトセルとの関連を有するUE(たとえば、限定加入者グループ(CSG)内のUE、自宅内のユーザのためのUEなど)による制限付きアクセスを可能にしてよい。マクロセルのためのBSは、マクロBSと呼ばれることがある。ピコセルのためのBSは、ピコBSと呼ばれることがある。フェムトセルのためのBSは、フェムトBSまたはホームBSと呼ばれることがある。図1に示す例では、BS110a、110bおよび110cは、それぞれ、マクロセル102a、102bおよび102cのためのマクロBSであり得る。BS110xは、ピコセル102xのためのピコBSであり得る。BS110yおよび110zは、それぞれ、フェムトセル102yおよび102zのためのフェムトBSであり得る。BSは1つまたは複数(たとえば、3つ)のセルをサポートしてよい。
【００２８】
ワイヤレスネットワーク100は、中継局も含んでもよい。中継局は、アップストリーム局(たとえばBSまたはUE)からデータおよび/または他の情報の送信を受信し、ダウンストリーム局(たとえば、UEまたBS)にデータおよび/または他の情報の送信を送る局である。また、中継局は、他のUEのための送信を中継するUEであってもよい。図1に示す例では、中継局110rは、BS110aとUE120rとの間の通信を容易にするために、BS110aおよびUE120rと通信することができる。中継局はまた、リレーBS、リレーなどと呼ばれることもある。
【００２９】
ワイヤレスネットワーク100は、異なるタイプのBS、たとえば、マクロBS、ピコBS、フェムトBS、リレーなどを含む異種ネットワークとすることができる。これらの異なるタイプのBSは、異なる送信電力レベル、異なるカバレージエリア、およびワイヤレスネットワーク100中の干渉に対する異なる影響を有してよい。たとえば、マクロBSは高い送信電力レベル(たとえば、20ワット)を有することがあり、一方で、ピコBS、フェムトBS、およびリレーはより低い送信電力レベル(たとえば、1ワット)を有することがある。
【００３０】
ワイヤレスネットワーク100は、同期動作または非同期動作をサポートしてよい。同期動作の場合、BSは、同様のフレームタイミングを有することができ、異なるBSからの送信は、時間的にほぼ整合し得る。非同期動作の場合、BSは、異なるフレームタイミングを有する場合があり、異なるBSからの送信は、時間的に整合していない場合がある。本明細書で説明する技法は、同期動作と非同期動作の両方に使用されてよい。
【００３１】
ネットワークコントローラ130は、BSのセットに結合され、これらのBSのための調整および制御を行い得る。ネットワークコントローラ130は、バックホールを介してBS110と通信し得る。BS110はまた、たとえば、直接、または間接的にワイヤレスバックホールもしくは有線バックホールを介して、互いに通信し得る。
【００３２】
UE120(たとえば、120x、120yなど)は、ワイヤレスネットワーク100の全体にわたって分散されてよく、各UEは静止であってよく、またはモバイルであってよい。UEは、移動局、端末、アクセス端末、加入者ユニット、局、顧客構内設備(CPE:Customer Premises Equipment)、セルラーフォン、スマートフォン、携帯情報端末(PDA)、ワイヤレスモデム、ワイヤレス通信デバイス、ハンドヘルドデバイス、ラップトップコンピュータ、コードレスフォン、ワイヤレスローカルループ(WLL)局、タブレット、カメラ、ゲームデバイス、ネットブック、スマートブック、ウルトラブック、医療デバイスもしくは医療機器、生体センサー/デバイス、スマートウォッチ、スマート衣料、スマートグラス、スマートリストバンド、スマートジュエリー(たとえば、スマートリング、スマートブレスレットなど)などのウェアラブルデバイス、娯楽デバイス(たとえば、音楽デバイス、ビデオデバイス、衛星無線など)、車両コンポーネントもしくは車両センサー、スマートメータ/センサー、工業生産機器、全地球測位システムデバイス、またはワイヤレス媒体もしくはワイヤード媒体を介して通信するように構成された任意の他の適切なデバイスと呼ばれる場合もある。一部のUEは、発展型デバイスもしくはマシンタイプ通信(MTC)デバイスまたは発展型MTC(eMTC)デバイスと見なされる場合がある。MTC UEおよびeMTC UEは、BS、別のデバイス(たとえば、リモートデバイス)、または何らかの他のエンティティと通信することができる、たとえば、ロボット、ドローン、リモートデバイス、センサー、メータ、モニタ、ロケーションタグなどを含む。ワイヤレスノードは、たとえば、ワイヤード通信リンクまたはワイヤレス通信リンクを介して、ネットワーク(たとえば、インターネットもしくはセルラーネットワークなどのワイドエリアネットワーク)のための、またはネットワークへの接続性を提供し得る。一部のUEは、モノのインターネット(IoT)デバイスと見なされ得る。図1において、両矢印を有する実線は、UEとサービングBSとの間の所望の送信を示し、サービングBSは、ダウンリンクおよび/またはアップリンク上でUEにサービスするように指定されたBSである。両矢印を有する破線は、UEとBSとの間の干渉する送信を示す。
【００３３】
特定のワイヤレスネットワーク(たとえば、LTE)は、ダウンリンク上で直交周波数分割多重化(OFDM)を利用し、かつアップリンク上でシングルキャリア周波数分割多重化(SC-FDM)を利用する。OFDMおよびSC-FDMは、システム帯域幅(たとえば、システム周波数帯域)を、一般に、トーン、ビンなどとも呼ばれる、複数の(K個の)直交サブキャリアに区分する。各サブキャリアは、データで変調され得る。一般に、変調シンボルは、OFDMでは周波数領域において送られ、SC-FDMでは時間領域において送られる。隣接するサブキャリア間の間隔は固定される場合があり、サブキャリアの総数(K)は、システム帯域幅に依存する場合がある。たとえば、サブキャリアの間隔は15kHzであってよく、最小のリソース割振り(「リソースブロック」と呼ばれる)は12個のサブキャリア(または180kHz)であってよい。その結果、公称FFTサイズは、1.25、2.5、5、10または20メガヘルツ(MHz)のシステム帯域幅に対して、それぞれ、128、256、512、1024または2048に等しくなり得る。システム帯域幅はまた、サブバンドに区分され得る。たとえば、サブバンドは、1.08MHz(すなわち、6個のリソースブロック)をカバーすることができ、1.25、2.5、5、10または20MHzのシステム帯域幅に対して、それぞれ、1、2、4、8または16個のサブバンドが存在し得る。
【００３４】
本明細書で説明する例の態様はLTE技術に関連付けられ得るが、本開示の態様は、NRなど、他のワイヤレス通信システムに適用可能であり得る。NRは、アップリンクおよびダウンリンク上でCPを用いてOFDMを利用し、時分割複信(TDD)を使用する半二重動作に対するサポートを含み得る。100MHzの単一のコンポーネントキャリア帯域幅がサポートされ得る。NRリソースブロックは、0.1msの持続時間にわたって、サブキャリア帯域幅が75kHzの12個のサブキャリアにまたがり得る。各無線フレームは、10msの長さを有する50個のサブフレームで構成される。結果として、各サブフレームは0.2msの長さを有することができる。各サブフレームは、データ送信用のリンク方向(すなわち、DLまたはUL)を示してよく、サブフレームごとのリンク方向は、動的に切り替えられてよい。各サブフレームは、DL/ULデータならびにDL/UL制御データを含み得る。NRに関するULサブフレームおよびDLサブフレームは、図6および図7に関して以下でより詳細に説明されるようなものであり得る。ビームフォーミングがサポートされ得、ビーム方向が動的に構成され得る。プリコーディングを用いたMIMO送信もサポートされ得る。DLにおけるMIMO構成は、最大で8個のストリームおよびUEごとに最大で2個のストリームを用いたマルチレイヤDL送信で最大で8個の送信アンテナをサポートし得る。UEごとに最大で2個のストリームを用いたマルチレイヤ送信がサポートされ得る。最大で8個のサービングセルを用いて複数のセルのアグリゲーションがサポートされ得る。代替として、NRは、OFDMベース以外の異なるエアインターフェースをサポートし得る。NRネットワークは、CUおよび/またはDUなどのエンティティを含み得る。
【００３５】
いくつかの例では、エアインターフェースへのアクセスがスケジュールされてよく、スケジューリングエンティティ(たとえば、基地局)は、そのサービスエリアまたはセル内のいくつかのまたはすべてのデバイスおよび機器の間で通信のためのリソースを割り振る。本開示内では、以下でさらに説明するように、スケジューリングエンティティは、1つまたは複数の従属エンティティ用のリソースをスケジュールすること、割り当てること、再構成すること、および解放することを担当し得る。すなわち、スケジュールされた通信に対して、従属エンティティは、スケジューリングエンティティによって割り振られたリソースを利用する。基地局は、スケジューリングエンティティとして機能し得る唯一のエンティティではない。すなわち、いくつかの例では、UEが、1つまたは複数の従属エンティティ(たとえば、1つまたは複数の他のUE)のためのリソースをスケジュールする、スケジューリングエンティティとして機能し得る。この例では、UEは、スケジューリングエンティティとして機能しており、他のUEは、ワイヤレス通信のためにUEによってスケジュールされたリソースを利用する。UEは、ピアツーピア(P2P)ネットワーク中および/またはメッシュネットワーク中でスケジューリングエンティティとして機能し得る。メッシュネットワーク例では、UEは、スケジューリングエンティティと通信することに加えて、場合によっては互いに直接通信し得る。
【００３６】
したがって、時間-周波数リソースへのスケジュールされたアクセスを伴い、セルラー構成、P2P構成、およびメッシュ構成を有するワイヤレス通信ネットワークでは、スケジューリングエンティティおよび1つまたは複数の従属エンティティは、スケジュールされたリソースを利用して通信し得る。
【００３７】
上述のように、RANは、CUおよびDUを含み得る。NR BS(たとえば、eNB、5GノードB、ノードB、送信受信ポイント(TRP)、アクセスポイント(AP))が、1つまたは複数のBSに対応し得る。NRセルは、アクセスセル(ACell)またはデータオンリーセル(DCell)として構成され得る。たとえば、RAN(たとえば、集約ユニットまたは分散ユニット)は、セルを構成することができる。DCellは、キャリアアグリゲーションまたは二重接続性に使用されるが、初期アクセス、セル選択/再選択、またはハンドオーバに使用されないセルであり得る。場合によっては、DCellは同期信号を送信しないことがあり、場合によっては、DCellはSSを送信することがある。NR BSは、セルタイプを示すダウンリンク信号をUEに送信し得る。セルタイプ指示に基づいて、UEはNR BSと通信し得る。たとえば、UEは、示されたセルタイプに基づいて、セル選択用、アクセス用、ハンドオーバ用、および/または測定用と見なすべきNR BSを決定し得る。
【００３８】
図2は、図1に示したワイヤレス通信システム内で実装され得る分散型無線アクセスネットワーク(RAN)200の例示的な論理アーキテクチャを示す。5Gアクセスノード206は、アクセスノードコントローラ(ANC)202を含み得る。ANCは、分散型RAN200の集約ユニット(CU)であってよい。次世代コアネットワーク(NG-CN:next generation core network)204へのバックホールインターフェースは、ANCにおいて終端し得る。近隣次世代アクセスノード(NG-AN)へのバックホールインターフェースは、ANCにおいて終端し得る。ANCは、1つまたは複数のTRP208(BS、NR BS、ノードB、5G NB、AP、または何らかの他の用語で呼ばれることもある)を含み得る。上記で説明したように、TRPは「セル」と交換可能に使用され得る。
【００３９】
TRP208は、DUであってよい。TRPは、1つのANC(ANC202)に接続されてよく、または2つ以上のANC(図示せず)に接続されてよい。たとえば、RAN共有、サービスとしての無線(RaaS:radio as a service)、およびサービス固有ANC配置に対して、TRPは2つ以上のANCに接続され得る。TRPは、1つまたは複数のアンテナポートを含み得る。TRPは、UEへのトラフィックを個別に(たとえば、動的選択)または一緒に(たとえば、共同送信)サービスするように構成され得る。
【００４０】
ローカルアーキテクチャ200は、フロントホール定義を示すために使用され得る。異なる展開タイプにわたるフロントホール(fronthauling)解決策をサポートするアーキテクチャが定義され得る。たとえば、アーキテクチャは、送信ネットワーク能力(たとえば、帯域幅、レイテンシ、および/またはジッタ)に基づき得る。
【００４１】
アーキテクチャは、特徴および/または構成要素をLTEと共有し得る。態様によれば、次世代AN(NG-AN)210は、NRとの二重接続性をサポートし得る。NG-ANは、LTEおよびNRに対して共通フロントホールを共有し得る。
【００４２】
アーキテクチャは、TRP208間の協働を可能にし得る。たとえば、協働は、TRP内にプリセットされてよく、かつ/またはANC202を経由してTRPにわたってプリセットされてよい。態様によれば、TRP間インターフェースが必要とされない/存在しない場合がある。
【００４３】
態様によれば、アーキテクチャ200内に、分割された論理機能の動的構成が存在する場合がある。図5を参照しながらより詳細に説明するように、無線リソース制御(RRC)レイヤ、パケットデータコンバージェンスプロトコル(PDCP)レイヤ、無線リンク制御(RLC)レイヤ、媒体アクセス制御(MAC)レイヤ、および物理(PHY)レイヤは、DUまたはCU(たとえば、それぞれTRPまたはANC)に適応可能に配置され得る。いくつかの態様によれば、BSは、集約ユニット(CU)(たとえば、ANC202)および/または1つもしくは複数の分散ユニット(たとえば、1つもしくは複数のTRP208)を含んでよい。
【００４４】
図3は、本開示のいくつかの態様による、分散型RAN300の例示的な物理アーキテクチャを示す。集中型コアネットワークユニット(C-CU)302が、コアネットワーク機能をホストし得る。C-CUは、中央に配置されてよい。C-CU機能は、ピーク容量に対処しようとして、(たとえば、アドバンストワイヤレスサービス(AWS)に)オフロードされ得る。
【００４５】
集中型RANユニット(C-RU)304が、1つまたは複数のANC機能をホストし得る。場合によっては、C-RUは、コアネットワーク機能を局所的にホストし得る。C-RUは分散配置を有してよい。C-RUは、ネットワークエッジのより近くにあってよい。
【００４６】
DU306が、1つまたは複数のTRP(エッジノード(EN)、エッジユニット(EU)、無線ヘッド(RH)、スマート無線ヘッド(SRH)など)をホストし得る。DUは、無線周波数(RF)機能を備えたネットワークのエッジに位置し得る。
【００４７】
図4は、本開示の態様を実施するために使用され得る、図1に示すBS110およびUE120の例示的な構成要素を示す。上記で説明したように、BSはTRPを含み得る。BS110およびUE120の1つまたは複数の構成要素は、本開示の態様を実践するために使用され得る。たとえば、UE120のアンテナ452、Tx/Rx222、プロセッサ466、458、464、および/もしくはコントローラ/プロセッサ480、ならびに/またはBS110のアンテナ434、プロセッサ430、420、438、および/もしくはコントローラ/プロセッサ440は、本明細書で説明し、図8〜図11を参照しながら示す動作を実行するために使用され得る。
【００４８】
図4は、図1におけるBSのうちの1つおよびUEのうちの1つであってよい、BS110およびUE120の設計のブロック図を示す。制限された接続シナリオの場合、基地局110は図1のマクロBS110cであってよく、UE120はUE120yであってよい。基地局110はまた、何らかの他のタイプの基地局であり得る。基地局110は、アンテナ434a〜434tを備えることができ、UE120は、アンテナ452a〜452rを備えることができる。
【００４９】
基地局110において、送信プロセッサ420は、データソース412からデータを受信し、コントローラ/プロセッサ440から制御情報を受信し得る。制御情報は、物理ブロードキャストチャネル(PBCH)、物理制御フォーマットインジケータチャネル(PCFICH)、物理ハイブリッドARQインジケータチャネル(PHICH)、物理ダウンリンク制御チャネル(PDCCH)などに関するものであってよい。データは、物理ダウンリンク共有チャネル(PDSCH)などに関するものであってよい。プロセッサ420は、データおよび制御情報を処理(たとえば、符号化およびシンボルマッピング)して、それぞれデータシンボルおよび制御シンボルを取得することができる。プロセッサ420はまた、たとえば、PSS、SSS、およびセル固有基準信号に関する基準シンボルを生成することもできる。送信(TX)多入力多出力(MIMO)プロセッサ430は、適用可能な場合には、データシンボル、制御シンボル、および/または基準シンボルに対して空間処理(たとえば、プリコーディング)を実行することができ、出力シンボルストリームを変調器(MOD)432a〜432tに提供することができる。たとえば、TX MIMOプロセッサ430は、RS多重化のために本明細書で説明するいくつかの態様を実行し得る。各変調器432は、(たとえば、OFDMなどのための)それぞれの出力シンボルストリームを処理して、出力サンプルストリームを取得することができる。各変調器432は、出力サンプルストリームをさらに処理(たとえば、アナログに変換、増幅、フィルタリング、およびアップコンバート)して、ダウンリンク信号を取得することができる。変調器432a〜432tからのダウンリンク信号を、それぞれアンテナ434a〜434tを介して送信してよい。
【００５０】
UE120において、アンテナ452a〜452rは、基地局110からダウンリンク信号を受信することができ、受信信号をそれぞれ復調器(DEMOD)454a〜454rに提供することができる。各復調器454は、それぞれの受信信号を調整(たとえば、フィルタリング、増幅、ダウンコンバート、およびデジタル化)して、入力サンプルを取得することができる。各復調器454は、(たとえば、OFDMなどのための)入力サンプルをさらに処理して、受信シンボルを取得することができる。MIMO検出器456は、すべての復調器454a〜454rから受信シンボルを取得し、適用可能な場合、受信シンボルに対してMIMO検出を実行し、検出されたシンボルを提供することができる。たとえば、MIMO検出器456は、本明細書で説明する技法を使用して送信された検出済みRSを提供し得る。受信プロセッサ458は、検出されたシンボルを処理(たとえば、復調、デインターリーブ、および復号)し、UE120のための復号されたデータをデータシンク460に提供し、復号された制御情報をコントローラ/プロセッサ480に提供することができる。1つまたは複数の事例によれば、CoMP態様は、アンテナならびにいくつかのTx/Rx機能を、CoMP態様が分散されたユニット内に存在するように提供することを含むことができる。たとえば、いくつかのTx/Rx処理は中央ユニット内で行われ得る一方で、他の処理は分散されたユニットにおいて行われ得る。たとえば、図に示す1つまたは複数の態様によれば、BS変調器/復調器432は、分散されたユニット内にあってもよい。
【００５１】
アップリンクでは、UE120において、送信プロセッサ464が、データソース462からの(たとえば、物理アップリンク共有チャネル(PUSCH)についての)データ、およびコントローラ/プロセッサ480からの(たとえば、物理アップリンク制御チャネル(PUCCH)についての)制御情報を受信し、処理してよい。送信プロセッサ464はまた、基準信号のための基準シンボルを生成し得る。送信プロセッサ464からのシンボルは、適用可能な場合には、TX MIMOプロセッサ466によってプリコーディングされ、(たとえばSC-FDMなどのために)復調器454a〜454rによってさらに処理され、基地局110に送信されてよい。BS110において、UE120からのアップリンク信号は、アンテナ434によって受信され、変調器432によって処理され、適用可能な場合には、MIMO検出器436によって検出され、受信プロセッサ438によってさらに処理されて、UE120によって送られた復号データおよび制御情報を取得し得る。受信プロセッサ438は、データシンク439に復号されたデータを提供し、コントローラ/プロセッサ440に復号された制御情報を提供してよい。
【００５２】
コントローラ/プロセッサ440および480は、それぞれ基地局110およびUE120における動作を指示し得る。基地局110におけるプロセッサ440ならびに/または他のプロセッサおよびモジュールは、たとえば、図10に示す機能的ブロックの実施および/または本明細書で説明する技法に対する他のプロセスを実行または指示し得る。UE120におけるプロセッサ480ならびに/または他のプロセッサおよびモジュールも、本明細書で説明する技法に対するプロセスを実行または指示し得る。メモリ442および482は、それぞれBS110およびUE120のためのデータおよびプログラムコードを記憶し得る。スケジューラ444は、ダウンリンクおよび/またはアップリンク上でのデータ送信のためにUEをスケジューリングし得る。
【００５３】
図5は、本開示の態様による、通信プロトコルスタックを実装するための例を示す図500を示す。示された通信プロトコルスタックは、5Gシステム(たとえば、アップリンクベースのモビリティをサポートするシステム)内で動作するデバイスによって実装され得る。図500は、無線リソース制御(RRC)レイヤ510、パケットデータコンバージェンスプロトコル(PDCP)レイヤ515、無線リンク制御(RLC)レイヤ520、媒体アクセス制御(MAC)レイヤ525、および物理(PHY)レイヤ530を含む通信プロトコルスタックを示す。様々な例では、プロトコルスタックのレイヤは、ソフトウェアの個別のモジュール、プロセッサもしくはASICの部分、通信リンクによって接続された非コロケートデバイスの部分、またはそれらの様々な組合せとして実装され得る。コロケート実装形態および非コロケート実装形態は、たとえば、ネットワークアクセスデバイス(たとえば、AN、CU、および/もしくはDU)またはUEのためのプロトコルスタックの中で使用されてよい。
【００５４】
第1のオプション505-aは、プロトコルスタックの実装が集中ネットワークアクセスデバイス(たとえば、図2のANC202)と分散ネットワークアクセスデバイス(たとえば、図2のDU208)との間で分割される、プロトコルスタックの分割実装形態を示す。第1のオプション505-aでは、RRCレイヤ510およびPDCPレイヤ515は、集約ユニットによって実装されてよく、RLCレイヤ520、MACレイヤ525、およびPHYレイヤ530は、DUによって実装されてよい。様々な例では、CUおよびDUは、コロケートされてよく、またはコロケートされなくてもよい。第1のオプション505-aは、マクロセル配置、マイクロセル配置、またはピコセル配置において有用であり得る。
【００５５】
第2のオプション505-bは、プロトコルスタックが単一のネットワークアクセスデバイス(たとえば、アクセスノード(AN)、ニューラジオ基地局(NB BS)、ニューラジオノードB(NR NB)、ネットワークノード(NN)など)の中で実装される、プロトコルスタックの統合実装形態を示す。第2のオプションでは、RRCレイヤ510、PDCPレイヤ515、RLCレイヤ520、MACレイヤ525、およびPHYレイヤ530は各々、ANによって実装され得る。第2のオプション505-bは、フェムトセル配置において有用であり得る。
【００５６】
ネットワークアクセスデバイスがプロトコルスタックの一部を実装するのか全部を実装するのかにかかわらず、UEは、全プロトコルスタック(たとえば、RRCレイヤ510、PDCPレイヤ515、RLCレイヤ520、MACレイヤ525、およびPHYレイヤ530)を実装してよい。
【００５７】
図6は、DL中心のサブフレームの一例を示す図600である。DL中心のサブフレームは、制御部分602を含み得る。制御部分602は、DL中心のサブフレームの最初の部分または開始部分に存在し得る。制御部分602は、DL中心のサブフレームの様々な部分に対応する様々なスケジューリング情報および/または制御情報を含み得る。いくつかの構成では、制御部分602は、図6に示すように、物理DL制御チャネル(PDCCH)であってよい。DL中心のサブフレームは、DLデータ部分604も含み得る。DLデータ部分604は時々、DL中心のサブフレームのペイロードと呼ばれ得る。DLデータ部分604は、スケジューリングエンティティ(たとえば、UEまたはBS)から従属エンティティ(たとえば、UE)にDLデータを通信するために利用される通信リソースを含み得る。いくつかの構成では、DLデータ部分604は、物理DL共有チャネル(PDSCH)であってよい。
【００５８】
DL中心のサブフレームは、共通UL部分606も含み得る。共通UL部分606は時々、ULバースト、共通ULバースト、および/または様々な他の適切な用語で呼ばれ得る。共通UL部分606は、DL中心のサブフレームの様々な他の部分に対応するフィードバック情報を含み得る。たとえば、共通UL部分606は、制御部分602に対応するフィードバック情報を含み得る。フィードバック情報の非限定的な例は、ACK信号、NACK信号、HARQインジケータ、および/または様々な他の適切なタイプの情報を含み得る。共通UL部分606は、ランダムアクセスチャネル(RACH)手順、スケジューリング要求(SR)に関する情報、および様々な他の適切なタイプの情報などの、追加のまたは代替の情報を含み得る。図6に示すように、DLデータ部分604の終わりは、共通UL部分606の始まりから時間的に分離され得る。この時間の分離は時々、ギャップ、ガード期間、ガードインターバル、および/または様々な他の適切な用語で呼ばれ得る。この分離は、DL通信(たとえば、従属エンティティ(たとえば、UE)による受信動作)からUL通信(たとえば、従属エンティティ(たとえば、UE)による送信)への切替えのための時間を与える。上記はDL中心のサブフレームの一例にすぎず、同様の特徴を有する代替構造が、必ずしも本明細書で説明する態様から逸脱することなく存在し得ることを、当業者は理解されよう。
【００５９】
図7は、UL中心のサブフレームの一例を示す図700である。UL中心のサブフレームは、制御部分702を含み得る。制御部分702は、UL中心のサブフレームの最初の部分または開始部分に存在し得る。図7における制御部分702は、図6を参照しながら上記で説明した制御部分と同様であってよい。UL中心のサブフレームは、ULデータ部分704も含み得る。ULデータ部分704は時々、UL中心のサブフレームのペイロードと呼ばれ得る。ULデータ部分は、従属エンティティ(たとえば、UE)からスケジューリングエンティティ(たとえば、UEまたはBS)にULデータを通信するために利用される通信リソースを指すことがある。いくつかの構成では、制御部分702は、物理DL制御チャネル(PDCCH)であってよい。
【００６０】
図7に示すように、制御部分702の終わりは、ULデータ部分704の始まりから時間的に分離され得る。この時間の分離は時々、ギャップ、ガード期間、ガードインターバル、および/または様々な他の適切な用語で呼ばれ得る。この分離は、DL通信(たとえば、スケジューリングエンティティによる受信動作)からUL通信(たとえば、スケジューリングエンティティによる送信)への切替えのための時間を与える。UL中心のサブフレームは、共通UL部分706も含み得る。図7における共通UL部分706は、図6を参照しながら上記で説明した共通UL部分606と同様であってよい。共通UL部分706は、追加または代替として、チャネル品質インジケータ(CQI)、サウンディング基準信号(SRS)に関する情報、および様々な他の適切なタイプの情報を含み得る。上記はUL中心のサブフレームの一例にすぎず、同様の特徴を有する代替構造が、必ずしも本明細書で説明する態様から逸脱することなく存在し得ることを、当業者は理解されよう。
【００６１】
いくつかの状況では、2つ以上の従属エンティティ(たとえば、UE)はサイドリンク信号を使用して互いに通信することができる。そのようなサイドリンク通信の現実世界の適用例は、公共安全、近接サービス、UEからネットワークへの中継、車両間(V2V)通信、インターネットオブエブリシング(IoE:Internet of Everything)通信、IoT通信、ミッションクリティカルメッシュ、および/または様々な他の適切な適用例を含み得る。一般に、サイドリンク信号は、スケジューリングおよび/または制御のためにスケジューリングエンティティが利用され得るにもかかわらず、スケジューリングエンティティ(たとえば、UEまたはBS)を通じてその通信を中継せずに、ある従属エンティティ(たとえば、UE1)から別の従属エンティティ(たとえば、UE2)に通信される信号を指す場合がある。いくつかの例では、サイドリンク信号は、(通常は免許不要スペクトルを使用するワイヤレスローカルエリアネットワークとは異なり)免許必要スペクトルを使用して通信されてよい。
【００６２】
UEは、リソースの専用セットを使用してパイロットを送信することに関連する構成(たとえば、無線リソース制御(RRC)専用状態など)、またはリソースの共通セットを使用してパイロットを送信することに関連する構成(たとえば、RRC共通状態など)を含む、様々な無線リソース構成において動作し得る。RRC専用状態において動作するとき、UEは、パイロット信号をネットワークに送信するために、リソースの専用セットを選択し得る。RRC共通状態において動作するとき、UEは、パイロット信号をネットワークに送信するために、リソースの共通セットを選択し得る。いずれの場合も、UEによって送信されるパイロット信号は、ANもしくはDU、またはそれらの部分などの、1つまたは複数のネットワークアクセスデバイスによって受信され得る。各受信ネットワークアクセスデバイスは、リソースの共通セット上で送信されるパイロット信号を受信および測定するとともに、ネットワークアクセスデバイスがUEのためのネットワークアクセスデバイスの監視セットのメンバーであるUEに割り振られたリソースの専用セット上で送信されるパイロット信号も受信および測定するように構成され得る。受信ネットワークアクセスデバイスのうちの1つもしくは複数、または受信ネットワークアクセスデバイスがパイロット信号の測定値を送信する先のCUは、UE用のサービングセルを識別するために、またはUEのうちの1つもしくは複数のためのサービングセルの変更を開始するために、測定値を使用し得る。
【００６３】
情報ビットを符号化するためのコードタイプ間の例示的な選択
コーディング理論では、連結コードは、より強くより高信頼のコードを形成するために内部コードと外部コードを組み合わせることによって導出される誤り訂正コードの類を形成する。内部コードおよび外部コードは、一般に、より強い結合されたコードを形成するために連結して使用される。情報ビットは、最初に外部コードを使用して符号化され得、次いで符号化された情報ビットは、内部コードを使用する再び符号化され得る。符号化されたビットを復号するための受信機における動作は、一般に、逆順である。たとえば、受信機において、内部コーディングの復号が最初に実行され、続いて外部コーディングが復号される。いくつかの態様では、外部コードは、任意の誤り検出コード、消去コード、または任意の誤り訂正コードであり得る。外部コードは、誤警報検出のためのパリティビットJを含み得る。外部コードの一例は、巡回冗長検査(CRC)コードである。内部コードは、任意の誤り訂正コードであり得る。内部コードは、内部コードの復号性能を改善するための補助パリティビットJ'を含み得る。
【００６４】
図8は、本開示のいくつかの態様による、連結コードを使用する符号化および復号を示す。8aは、送信機デバイス810(たとえば、gNBまたはUE)における符号化動作を示す。図示のように、送信機810は、外部コーダ812および内部コーダ814を含む。情報ビットは、最初に、外部コードに基づいて外部コーダ812によって符号化され、パリティビット(J)を含む部分的に符号化された情報ビットを出力する。パリティビット(J)を含む符号化されたビットは、次いで、内部コードを使用して内部コーダ814によって再び符号化され、補助パリティビット(J')を含む符号化されたビットを出力する。補助パリティビット(J')を含む符号化されたビットは、送信機810によって送信される。
【００６５】
8bは、8aの符号化動作に対応する、受信機820による復号動作を示す。図示のように、受信機820は、内部デコーダ822および外部デコーダ824を含む。受信機820は、符号化されたビットを送信機810から受信する。受信された符号化されたビットは、最初に、送信機810によって使用されるのと同じ内部コードを使用して内部デコーダ822によって復号され、パリティビット(J)を含む部分的に復号されたビットを出力する。部分的に復号されたビットは、次いで、送信810によって使用されるのと同じ外部コードを使用して外部デコーダ824によってさらに復号され、情報ビットを復元する。
【００６６】
いくつかの態様では、誤警報は、たとえば巡回冗長検査(CRC)コードによって、誤って復号されたコードワードが有効なコードワードとして示されるときの状況である。外部コードパリティビット長Jは、誤警報検出精度、たとえば誤警報検出がどれほど正確であるかを決定づける。一般に、より長いパリティビット長Jが、より低い誤警報確率(FAR)につながる。一態様では、外部コードパリティビット長Jは、誤警報確率(FAR)要件によって決定される。より低い(たとえば、より厳しい)FAR要件は、一般に、より多くの外部コードパリティビットJを必要とする。
【００６７】
いくつかの態様では、J個のパリティビットを有するCRCコード(または任意の効果的な誤り検出コード)が外部コードとして使用される場合、誤警報確率は、ノーリスト復号(no list-decoding)(たとえば、list size=1)が内部コードに対して使用されるときに2^{-J}であり得る。ノーリスト復号は、一般に、デコーダが、コードワードを復号するために1つの候補より多くを有しないときである。いくつかの態様では、内部コードがリストサイズLを使用する場合、最終の誤警報確率は2^{-J+log2(list_size, L)}であり得、それはノーリスト復号と比較してより高い。より高い誤警報確率は望ましくない。しかしながら、それは、一般に、より多くの誤り検出ビットを有することとより多くの復号候補を有することとの間のトレードオフである。リストが大きいほど、受信機における復号性能は良くなる。しかし、より大きいリストは、受信機が復号において誤りを検出する能力に関して誤警報検出に悪影響を及ぼす。
【００６８】
いくつかの態様では、異なるチャネルコーディング方式は、異なる情報ビット長(K)領域内で異なって動作する。一般に、Kが極めて小さい(たとえば、<12ビット)場合、Reed-Muller(RM)符号がPolar符号より良好に動作し得る。一方、Kが大きい場合、Polar符号は、同等の復号複雑性要件の下でRM符号を凌駕し得る。
【００６９】
したがって、いくつかの態様では、少なくとも復号される情報ビットの数に基づいてコーディング方式(たとえば、RM符号またはPolar符号)を選択することが有益であり得る。さらに、情報ビット長(K)に加えて、RM符号とPolar符号との間の選択は、特定の他のパラメータも同様に考慮に入れる必要がある場合があり、それらについて、以下でより詳細に説明する。
【００７０】
本開示のいくつかの態様は、1つまたは複数のチャネルコーディングパラメータに基づいて情報ビットを符号化/復号するためにRM符号とPolar符号との間で選択するための技法を説明する。
【００７１】
図9は、本開示のいくつかの態様による、情報ビットをコーディングするためのコードタイプを選択するためにワイヤレスデバイス(たとえば、UEまたはgNB)によって実行され得る例示的な動作900を示す。動作900は、902において、チャネルの情報ビットを符号化するための連結符号化方式に対する内部コードとして使用するコードのタイプをコードタイプのセットから選択することによって開始し、選択は、チャネルに対する誤警報検出方針に基づく。904において、ワイヤレスデバイスは、内部コードとして選択されたコードのタイプおよび外部コードを使用して情報ビットを符号化することによってコードワードを生成する。906において、ワイヤレスデバイスは、コードワードを送信する。
【００７２】
いくつかの態様では、コードタイプのセットは、少なくとも1つまたは複数のRM符号および1つまたは複数のPolar符号を含む。いくつかの態様では、RM符号とPolar符号との間の選択は、さらに、情報ビット長(K)、内部コードの一部として含まれる補助パリティビットJ'の数、外部コードパリティビット長J、および受信機においてリスト復号アルゴリズムにおいて使用されるリストサイズLを含む追加のパラメータに基づいて実行され得る。一態様では、外部コードパリティビット長JおよびリストサイズLはともに、誤警報確率(FAR)を決定する。上述のように、リスト復号に対するFARは、2^{-J+log2(list_size, L)}であり得る。
【００７３】
いくつかの態様では、メトリックは、上記で説明したパラメータのうちの1つまたは複数の関数として生成され得、RM符号とPolar符号との間の選択は、そのメトリックに基づいて実行され得る。一態様では、メトリックは、情報ビット長(K)、FAR要件(P_{fa})ここで{fa}は誤警報を表す、および復号リスト要件Lの関数であり得、RM符号とPolar符号との間の選択は、このメトリックに基づくしきい値の決定に従い得る。
【００７４】
例示的なシナリオでは、K、(P_{fa})、およびLの関数としてのメトリックは、K+log2(1/P_{fa})+log2(L)であり得る。一態様では、K+log2(1/P_{fa})+log2(L)がしきい値より高い場合、Polar符号が内部コードとして選択され、外部コードパリティビットJはlog2(1/P_{fa})+log2(L)個のパリティビットとして設定される。一方、K+log2(1/P_{fa})+log2(L)がしきい値を下回る場合、RM符号が内部コードとして選択され、外部コードパリティビットJはlog2(1/P_{fa})+log2(L)個のパリティビットとして設定される。
【００７５】
いくつかの態様では、バジェット(たとえば、ビットの数)は、一般に、J+J'個のオーバーヘッドビットに対して割り当てられる。したがって、Jが小さく(または0であり)、あまり厳しくない誤警報要件かまたは誤警報要件がないことを示す場合、追加の補助パリティビットJ'が、復号性能を高めるために使用されてもよい。たとえば、Jがしきい値を下回る場合、J'は3に設定されてもよい。一方、Jがしきい値より高い場合、J'は0に設定され得る。
【００７６】
いくつかの態様では、誤警報要件は、いくつかの方法でデバイス(たとえば、受信機)によって決定され得る。
【００７７】
一態様では、誤警報要件は、仕様(たとえば、第3世代パートナーシッププロジェクト、3GPP仕様)において暗黙的であり得る。たとえば、仕様は、デバイスがチャネル/メッセージを復号するために(たとえば、ブラインド復号の間に)検査しなければならない仮説の数を指定し得る。デバイスは、この情報に基づいて誤警報要件を暗黙的に導出し得る。一般に、デバイスが検査しなければならない仮説の数が多いほど、誤りの確率が大きくなるので誤警報要件は高くなる。
【００７８】
一態様では、誤警報要件は、たとえばRRCシグナリングを介してデバイスに明示的にシグナリングされ得る。たとえば、gNBは、どんな誤警報要件が各チャネルのために使用されるかをUEにシグナリングし得る。UEは、受信されたシグナリングおよび上記で説明した1つまたは複数のルールに基づいてチャネル上で復号を実行し得る。
【００７９】
一態様では、誤警報要件は、符号化/復号されるチャネルのタイプによって決まる場合がある。異なるチャネルが、異なる誤警報要件を有する場合がある。たとえば、いくつかのチャネル(たとえば、PDCCH)に対して、受信デバイスは、チャネルを復号するためにいくつかの仮説を検査する必要がある場合があり、復号されたコードワードが仮説の各々において有効であるかどうかを決定する必要がある場合がある。これは、一般に、より高い誤警報(より低くより厳しい誤警報確率)要件につながる。しかしながら、いくつかのチャネル(たとえば、PUCCH)に対して、gNBは、チャネルを探す場所を受信デバイス(たとえば、UE)に示し得る。これは、一般に、低い誤警報要件につながる。一態様では、グループ共通の(Group Common)(GC)-PDCCHは長いCRCおよびより高いFAR要件を有し、通常のPDCCHは長いCRCおよびより低いFAR要件を有し、PUCCH上のUCIは短いCRCおよびより低いFAR要件を有し、PUSCH上のUCIは長いCRCを有し、より高いFAR要件を有する。
【００８０】
一態様では、誤警報要件は、再送信の数によって決まる場合がある。たとえば、要件は、再送信に対して増加し得、要件は、より多くの再送信の数に対してより高くなり得る。
【００８１】
いくつかの態様では、決定された誤警報要件に基づいて、デバイスはJの値を決定し得、その値を送信を復号するために使用し得る。たとえば、デバイスは、特定のチャネル/メッセージに対してRM復号またはPolar復号を使用することを決定し得る。一態様では、外部コードがCRCを含む場合、CRCのパリティビットJの数は、誤警報要件によって決まる場合がある。
【００８２】
図10は、本開示のいくつかの態様による、ワイヤレスデバイス(たとえば、gNBまたはUE)によって情報ビットを符号化するための連結コードを決定するための決定木1000を示す。
【００８３】
決定木1000は、1002において、デバイスによって送信される情報ビットの長さ(L)を決定することによって開始する。1004において、デバイスは、誤警報要件(P_{fa})を決定する。上述のとおり、誤警報要件(P_{fa})は、いくつかの方法でデバイスによって決定され得る。1006において、デバイスは、送信のためのリストサイズ(L)を決定する。1008において、デバイスは、K+log2(1/P_{fa})+log2(L)によって与えられるK、(P_{fa})、およびLの関数としてメトリックを計算する。
【００８４】
一態様では、外部コードおよび内部コードは、計算されたメトリックに基づいて決定される。1010において、メトリックは、しきい値と比較される。メトリックがしきい値より大きい場合、外部コードパリティビットJは、1012において、log2(1/P_{fa})+log2(L)個のパリティビットとして設定され、Polar符号が、1014において、内部コードとして選択される。外部コードおよび内部コードが決定されると、補助パリティビット(J')が、決定されたパリティビット(J)に基づいて設定される。1020において、デバイスは、決定されたパリティビット(J)とJのしきい値とを比較する。Jがしきい値より小さい場合、1022において、より長いJ'が選択される。一方、Jがしきい値より大きい場合、J'のより短い値が、1024において、選択される。一態様では、上記で説明したように、バジェットがJ+J'個のオーバーヘッドビットに対して割り当てられ、J'は、J+J'に対して割り当てられたバジェットに基づいて割り当てられ得る。
【００８５】
代替的に、UEが、1010において、メトリックがしきい値を下回ると決定する場合、外部コードパリティビットJは、1016において、log2(1/P_{fa})+log2(L)個のパリティビットとして設定され、Reed-Muller符号が、1018において、内部コードとして選択される。補助パリティビットJ'は、メトリックがしきい値より大きいとき、上述の場合と同様に選択される。たとえば、1026において、デバイスは、決定されたパリティビット(J)とJのしきい値とを比較する。Jがしきい値より小さい場合、1028において、より長いJ'が選択される。一方、Jがしきい値より大きい場合、1030において、より短い値のJ'が選択される。
【００８６】
例示的なシナリオでは、ULに対して、K≦12である場合、FAR要件がなくかつCRCビットの数=0である場合、RM符号が選択される。
【００８７】
しかしながら、K≦12であるが、誤り検出(J>しきい値、ここでしきい値は0であり得る)に対するCRCビットの数であるFAR要件がある場合、CRC Aided(CA)-polarまたはCA-parity check(PC) polar(または、場合によってはPC polarであり得る)のいずれかが選択される。異なるタイプのpolar符号が、FAR要件に基づいて選択されてもよい。
【００８８】
同様に、12≦K≦22であるときの例示的な場合、FAR要件がなく、CRCビットの数=0であるならば、CA-PC polar(または場合によっては純粋なPC polar)が、J'=6のアシスタントビット(3つのCRCビットおよび3つのPCビットであり得る)を用いて使用される。しかしながら、誤り検出に対するCRCビットの数!=0(たとえば、5ビット〜8ビットのCRC)であるFAR要件がある場合、CA-polarは、CA-PCの対極にあるものとして使用され得る。
【００８９】
いくつかの態様では、K≦12に対して、DL PDCCHに対して、FARは、(GC PDCCHではなく)通常のPDCCHに対して保証される必要がある。この場合、極めて小さいDCIペイロード(たとえば、K≦12)に対してさえも、良好なFARが必要であり、したがって、いくつかのCRCビットが必要である。したがって、この場合、nFAR=16であるならば、polar符号が必要である。
【００９０】
図11は、図9に示す動作など、本明細書で開示する技法に対する動作を実行するように構成された(たとえば、ミーンズプラスファンクション構成要素に対応する)様々な構成要素を含み得る通信デバイス1100を示す。通信デバイス1100は、トランシーバ1108に結合された処理システム1102を含む。トランシーバ1108は、本明細書で説明する様々な信号など、通信デバイス1100に対する信号を、アンテナ1110を介して送信および受信するように構成される。処理システム1102は、通信デバイス1100によって受信されるおよび/または送信される処理信号を含めて、通信デバイス1100に対する処理機能を実行するように構成され得る。
【００９１】
処理システム1102は、バス1106を介してコンピュータ可読媒体/メモリ1112に結合されたプロセッサ1104を含む。いくつかの態様では、コンピュータ可読媒体/メモリ1112は、プロセッサ1104によって実行されるときに、図9に示す動作、または本明細書で説明する様々な技法を実行するための他の動作をプロセッサ1104に実行させる命令を記憶するように構成される。
【００９２】
いくつかの態様では、コンピュータ可読媒体/メモリ1112は、図9に示す選択動作をプロセッサに実行させる選択構成要素1114を含む。加えて、コンピュータ可読媒体/メモリ1112は、図9に示す生成動作をプロセッサ1104に実行させる生成構成要素1116を含む。加えて、コンピュータ可読媒体/メモリ1112は、図9に示す送信動作をプロセッサ1104に実行させるための送信構成要素1118を含む。選択構成要素1114、生成構成要素1116、および送信構成要素1118は、バス1106を介してプロセッサ1104に結合され得る。いくつかの態様では、選択構成要素1114、生成構成要素1116、および送信構成要素1118は、ハードウェア回路であり得る。いくつかの態様では、選択構成要素1114、生成構成要素1116、および送信構成要素1118は、プロセッサ1104上で実行され動作されるソフトウェア構成要素であり得る。
【００９３】
本明細書で開示する方法は、説明した方法を実現するための1つまたは複数のステップまたはアクションを含む。方法ステップおよび/またはアクションは、特許請求の範囲の範囲から逸脱することなく互いに入れ替えられ得る。言い換えれば、ステップまたはアクションの特定の順序が指定されない限り、特定のステップおよび/またはアクションの順序および/または使用は、特許請求の範囲の範囲から逸脱することなく修正され得る。
【００９４】
本明細書で使用する場合、項目の列挙「のうちの少なくとも1つ」を指す句は、単一のメンバーを含むそれらの項目の任意の組合せを指す。一例として、「a、b、またはcのうちの少なくとも1つ」は、a、b、c、a-b、a-c、b-c、およびa-b-c、ならびに複数の同じ要素を有する任意の組合せ(たとえば、a-a、a-a-a、a-a-b、a-a-c、a-b-b、a-c-c、b-b、b-b-b、b-b-c、c-c、およびc-c-c、または任意の他の順序のa、b、およびc)を包含するものとする。
【００９５】
本明細書で使用する「決定すること」という用語は、幅広い様々なアクションを包含する。たとえば、「決定すること」は、算出すること、計算すること、処理すること、導出すること、調査すること、ルックアップすること(たとえば、テーブル、データベースまたは別のデータ構造においてルックアップすること)、確認することなどを含んでよい。また、「決定すること」は、受信すること(たとえば、情報を受信すること)、アクセスすること(たとえば、メモリ内のデータにアクセスすること)などを含み得る。また、「決定すること」は、解決すること、選択すること、選出すること、確立することなどを含み得る。
【００９６】
前述の説明は、いかなる当業者も、本明細書で説明した様々な態様を実践することが可能になるように提供される。これらの態様の様々な変更が、当業者には容易に明らかになり、本明細書において規定される一般原理は、他の態様に適用される場合がある。したがって、特許請求の範囲は、本明細書に示した態様に限定されるものではなく、クレーム文言と一致するすべての範囲を与えられるべきであり、単数形での要素への言及は、そのように明記されていない限り、「唯一無二の」ではなく、「1つまたは複数の」を意味するものとする。別段に明記されていない限り、「いくつかの」という用語は、1つまたは複数を指す。当業者に知られているか、または後で知られることになる、本開示全体にわたって説明した様々な態様の要素に対するすべての構造的および機能的均等物は、参照により本明細書に明確に組み込まれ、特許請求の範囲によって包含されることが意図される。その上、本明細書で開示したものは、そのような開示が特許請求の範囲に明示的に記載されているかどうかにかかわらず、公に供されるものではない。請求項の要素は、要素が「のための手段」という句を使用して明確に列挙されていない限り、または方法クレームの場合、要素が「のためのステップ」という句を使用して列挙されていない限り、米国特許法112条第6段落の規定に基づいて解釈されるべきではない。
【００９７】
上記で説明した方法の様々な動作は、対応する機能を実行することが可能な任意の適切な手段によって実行され得る。手段は、限定はしないが、回路、特定用途向け集積回路(ASIC)、またはプロセッサを含む、様々なハードウェアおよび/またはソフトウェア構成要素および/またはモジュールを含み得る。一般に、図に示される動作がある場合、それらの動作は、同様の番号を付された対応する相対物のミーンズプラスファンクション構成要素を有し得る。
【００９８】
たとえば、送信するための手段および/または受信するための手段は、基地局110の送信プロセッサ420、TX MIMOプロセッサ430、受信プロセッサ438、もしくはアンテナ434、および/またはユーザ機器120の送信プロセッサ464、TX MIMOプロセッサ466、受信プロセッサ458、もしくはアンテナ452のうちの1つまたは複数を含み得る。加えて、選択するための手段および生成するための手段は、ユーザ機器120のコントローラ/プロセッサ480、または基地局110のコントローラ/プロセッサ440などの1つまたは複数のプロセッサを備え得る。
【００９９】
本開示に関連して説明する様々な例示的な論理ブロック、モジュール、および回路は、汎用プロセッサ、デジタル信号プロセッサ(DSP)、特定用途向け集積回路(ASIC)、フィールドプログラマブルゲートアレイ(FPGA)もしくは他のプログラマブル論理デバイス(PLD)、ディスクリートゲートもしくはトランジスタ論理、ディスクリートハードウェア構成要素、または本明細書で説明する機能を実行するように設計されたそれらの任意の組合せを用いて実装または実行され得る。汎用プロセッサは、マイクロプロセッサであってよいが、代替として、プロセッサは、任意の市販のプロセッサ、コントローラ、マイクロコントローラ、または状態機械であってよい。プロセッサはまた、コンピューティングデバイスの組合せ、たとえば、DSPとマイクロプロセッサとの組合せ、複数のマイクロプロセッサ、DSPコアと連携した1つもしくは複数のマイクロプロセッサ、または任意の他のそのような構成として実装されてもよい。
【０１００】
ハードウェアにおいて実装される場合、例示的なハードウェア構成は、ワイヤレスノード内の処理システムを含み得る。処理システムは、バスアーキテクチャを用いて実装され得る。バスは、処理システムの特定の適用例および全体的な設計制約に応じて、任意の数の相互接続バスおよびブリッジを含んでよい。バスは、プロセッサ、機械可読媒体、およびバスインターフェースを含む様々な回路を互いにリンクさせ得る。バスインターフェースは、バスを介して、とりわけ、処理システムにネットワークアダプタを接続するために使用され得る。ネットワークアダプタは、PHYレイヤの信号処理機能を実装するために使用され得る。ユーザ端末120(図1参照)の場合、ユーザインターフェース(たとえば、キーパッド、ディスプレイ、マウス、ジョイスティックなど)がバスに接続されてもよい。バスは、タイミングソース、周辺装置、電圧調整器、電力管理回路などの様々な他の回路をリンクさせる場合があるが、これらの回路は当技術分野でよく知られており、したがって、これ以上は説明しない。プロセッサは、1つまたは複数の汎用プロセッサおよび/または専用プロセッサを用いて実装されてよい。例には、マイクロプロセッサ、マイクロコントローラ、DSPプロセッサ、およびソフトウェアを実行できる他の回路が含まれる。当業者は、特定の適用例とシステム全体に課せられた全体的な設計制約とに応じて処理システムに関する上述の機能を最も適切に実装するにはどうすべきかを認識するであろう。
【０１０１】
ソフトウェアにおいて実装される場合、機能は、1つまたは複数の命令またはコードとしてコンピュータ可読媒体上に記憶されるか、またはコンピュータ可読媒体を介して送信され得る。ソフトウェアは、ソフトウェア、ファームウェア、ミドルウェア、マイクロコード、ハードウェア記述言語と呼ばれるか、または他の名称で呼ばれるかどうかにかかわらず、命令、データ、またはそれらの任意の組合せを意味するように広く解釈されるべきである。コンピュータ可読媒体は、コンピュータ記憶媒体と、ある場所から別の場所へのコンピュータプログラムの伝達を容易にする任意の媒体を含む通信媒体の両方を含む。プロセッサは、機械可読記憶媒体に記憶されたソフトウェアモジュールの実行を含む、バスおよび一般的な処理を管理することを担い得る。コンピュータ可読記憶媒体は、プロセッサがその記憶媒体から情報を読み取ることができ、かつその記憶媒体に情報を書き込むことができるようにプロセッサに結合されてよい。代替として、記憶媒体は、プロセッサと一体であってよい。例として、機械可読媒体は、送信線路、データによって変調された搬送波、および/またはワイヤレスノードとは別個の命令が記憶されたコンピュータ可読記憶媒体を含んでよく、これらはすべて、バスインターフェースを介してプロセッサによってアクセスされる場合がある。代替としてまたは追加として、機械可読媒体またはその任意の部分は、キャッシュおよび/または汎用レジスタファイルと同様にプロセッサに統合されてよい。機械可読記憶媒体の例は、例として挙げると、RAM(ランダムアクセスメモリ)、フラッシュメモリ、ROM(読取り専用メモリ)、PROM(プログラマブル読取り専用メモリ)、EPROM(消去可能プログラマブル読取り専用メモリ)、EEPROM(電気的消去可能プログラマブル読取り専用メモリ)、レジスタ、磁気ディスク、光ディスク、ハードドライブ、もしくは任意の他の適切な記憶媒体、またはそれらの任意の組合せがあり得る。機械可読媒体はコンピュータプログラム製品内で具現化されてよい。
【０１０２】
ソフトウェアモジュールは、単一の命令または多くの命令を含み得、いくつかの異なるコードセグメントにわたって、異なるプログラム間で、また複数の記憶媒体にわたって、分散され得る。コンピュータ可読媒体は、いくつかのソフトウェアモジュールを含んでよい。ソフトウェアモジュールは、プロセッサなどの装置によって実行されると、処理システムに様々な機能を実行させる命令を含む。ソフトウェアモジュールは、送信モジュールと受信モジュールとを含んでよい。各ソフトウェアモジュールは、単一の記憶デバイス内に存在しても、または複数の記憶デバイスにわたって分散されてよい。例として、トリガイベントが発生したときに、ソフトウェアモジュールは、ハードドライブからRAMにロードされてよい。ソフトウェアモジュールの実行中、プロセッサは、アクセス速度を高めるために、命令のうちのいくつかをキャッシュにロードしてよい。1つまたは複数のキャッシュラインが、次いで、プロセッサによって実行されるように汎用レジスタファイルにロードされてよい。以下でソフトウェアモジュールの機能に言及する場合、そのような機能は、そのソフトウェアモジュールからの命令を実行するときにプロセッサによって実装されることが理解されよう。
【０１０３】
また、任意の接続が、適切にコンピュータ可読媒体と呼ばれる。たとえば、ソフトウェアが、同軸ケーブル、光ファイバーケーブル、ツイストペア、デジタル加入者回線(DSL)、または赤外線(IR)、無線、およびマイクロ波などのワイヤレス技術を使用して、ウェブサイト、サーバ、または他のリモートソースから送信される場合、同軸ケーブル、光ファイバーケーブル、ツイストペア、DSL、または赤外線、無線、およびマイクロ波などのワイヤレス技術は、媒体の定義に含まれる。本明細書で使用するディスク(disk)およびディスク(disc)は、コンパクトディスク(disc)(CD)、レーザディスク(disc)、光ディスク(disc)、デジタル多用途ディスク(disc)(DVD)、フロッピーディスク(disk)、およびBlu-ray(登録商標)ディスク(disc)を含み、ディスク(disk)は、通常、データを磁気的に再生し、ディスク(disc)は、レーザを用いてデータを光学的に再生する。したがって、いくつかの態様では、コンピュータ可読媒体は、非一時的コンピュータ可読媒体(たとえば、有形媒体)を含んでよい。加えて、他の態様の場合、コンピュータ可読媒体は、一時的コンピュータ可読媒体(たとえば、信号)を含んでよい。上記の組合せもコンピュータ可読媒体の範囲に含まれるべきである。
【０１０４】
したがって、いくつかの態様は、本明細書で提示した動作を実行するためのコンピュータプログラム製品を含んでよい。たとえば、そのようなコンピュータプログラム製品は、本明細書で説明した動作を実行するように1つまたは複数のプロセッサによって実行可能である命令が記憶された(および/または符号化された)コンピュータ可読媒体を含んでよい。
【０１０５】
さらに、本明細書で説明する方法および技法を実行するためのモジュールおよび/または他の適切な手段は、適用可能な場合、ユーザ端末および/または基地局によってダウンロードおよび/または別の方法で取得されてよいことを理解されたい。たとえば、そのようなデバイスは、本明細書で説明する方法を実行するための手段の転送を容易にするためにサーバに結合されてよい。代替的に、本明細書で説明する様々な方法は、ユーザ端末および/または基地局が記憶手段(たとえば、RAM、ROM、コンパクトディスク(CD)またはフロッピーディスクなどの物理的記憶媒体など)をデバイスに結合または提供すると様々な方法を取得することができるように、記憶手段を介して提供されてよい。さらに、本明細書で説明する方法および技法をデバイスに提供するための任意の他の適切な技法が利用されてよい。
【０１０６】
特許請求の範囲が上記で示した厳密な構成および構成要素に限定されないことを理解されたい。特許請求の範囲の範囲から逸脱することなく、上記で説明した方法および装置の構成、動作、および詳細において、様々な修正、変更、および変形が加えられてよい。
【符号の説明】
【０１０７】
100  ワイヤレスネットワーク
102a  マクロセル
102b  マクロセル
102c  マクロセル
102x  ピコセル
102y  フェムトセル
102z  フェムトセル
110  基地局(BS)
110a  BS
110b  BS
110c  BS、マクロBS
110r  中継局
110x  BS
110y  BS
110z  BS
120  UE、ユーザ機器、ユーザ端末
120r  UE
120x  UE
120y  UE
130  ネットワークコントローラ
200  分散型無線アクセスネットワーク(RAN)、ローカルアーキテクチャ、アーキテクチャ
202  アクセスノードコントローラ(ANC)
204  次世代コアネットワーク(NG-CN)
206  5Gアクセスノード
208  TRP、DU
210  次世代AN(NG-AN)
222  Tx/Rx
300  分散型RAN
302  集中型コアネットワークユニット(C-CU)
304  集中型RANユニット(C-RU)
306  DU
412  データソース
420  プロセッサ、送信プロセッサ
432  変調器、BS変調器/復調器
432a〜432t  変調器(MOD)
434  アンテナ
434a〜434t  アンテナ
436  MIMO検出器
438  プロセッサ、受信プロセッサ
439  データシンク
440  コントローラ/プロセッサ、プロセッサ
442  メモリ
444  スケジューラ
452  アンテナ
452a〜452r  アンテナ
454  復調器
454a〜454r  復調器(DEMOD)
456  MIMO検出器
458  プロセッサ、受信プロセッサ
462  データソース
464  プロセッサ、送信プロセッサ
466  プロセッサ、TX MIMOプロセッサ
480  コントローラ/プロセッサ、プロセッサ
500  図
505-a  第1のオプション
505-b  第2のオプション
510  無線リソース制御(RRC)レイヤ
515  パケットデータコンバージェンスプロトコル(PDCP)レイヤ
520  無線リンク制御(RLC)レイヤ
525  媒体アクセス制御(MAC)レイヤ
530  物理(PHY)レイヤ
600  図
604  DLデータ部分
606  共通UL部分
700  図
702  制御部分
704  ULデータ部分
706  共通UL部分
810  送信機デバイス
812  外部コーダ
814  内部コーダ
820  受信機
822  内部デコーダ
824  外部デコーダ
900  動作
1000  決定木
1100  通信デバイス
1102  処理システム
1104  プロセッサ
1106  バス
1108  トランシーバ
1110  アンテナ
1112  コンピュータ可読媒体/メモリ
1114  選択構成要素
1116  生成構成要素
1118  送信構成要素
【図１】
2020526102.tif 000003
【図２】
2020526102.tif 000004
【図３】
2020526102.tif 000005
【図４】
2020526102.tif 000006
【図５】
2020526102.tif 000007
【図６】
2020526102.tif 000008
【図７】
2020526102.tif 000009
【図８】
2020526102.tif 000010
【図９】
2020526102.tif 000011
【図１０】
2020526102.tif 000012
【図１１】
2020526102.tif 000013
【国際調査報告】
2020526102.tif 000014
2020526102.tif 000015